(57)【要約】【課題】シートがローラの周面と読取部の読取面との間に向けて差し込まれるときに、シートの先端が読取部に引っ掛かることを抑制できる、画像読取装置を提供する。【解決手段】画像読取装置１は、第１延部１５１および第２延部１５３を備えている。第１延部１５１は、読取部８３の前側板１１８から前側に延びている。第２延部１５３は、ロアシュート４１の第５壁面４７から後側に延び、第１延部１５１に対して上側に位置している。ローラ８２から読取面１２２に力が加えられたときに、第１延部１５１が第２延部１５３に下側から当接することにより、その力が第２延部１５３に受け止められる。これにより、ローラ８２から読取面１２２に加えられる力による読取部８３の回動を抑制することができ、シートがローラ８２の周面と読取部８３の読取面１２２との間に向けて差し込まれるときに、シートの先端が読取部８３に引っ掛かることを抑制できる。【選択図】図５
2014155044.tif 000002
【特許請求の範囲】
【請求項１】
読取面を有し、前記読取面上に位置するシートの画像を読み取るように構成される読取部と、
周面の一部が前記読取部におけるシートの搬送方向の下流側に偏った接触位置に接触するローラと、
前記読取部に設けられ、前記搬送方向の上流側に延びる第１延部と、
前記読取面に直交する直交方向において前記第１延部に対して前記ローラ側に位置し、前記搬送方向の下流側に延びる第２延部とを備える、画像読取装置。
【請求項２】
前記第１延部は、前記直交方向において前記読取面に対し前記ローラ側と反対側に位置し、
前記第１延部は、前記読取部の前記搬送方向の上流側の端面から前記搬送方向の上流側に突出した突起であり、
前記第２延部は、前記直交方向において前記読取面に対し前記ローラ側と反対側に位置し、
前記第２延部は、前記読取部を収容する筐体の前記読取部の上流側に位置する壁部から前記搬送方向の下流側に突出した突起である、請求項１に記載の画像読取装置。
【請求項３】
前記読取部の前記読取面と反対側の部分に当接し、前記読取部を前記ローラ側に付勢するように構成される付勢部を備え、
前記読取部における前記付勢部との当接位置は、前記接触位置と前記搬送方向において同じ位置である、請求項２に記載の画像読取装置。
【請求項４】
前記読取部に設けられる突出部を備え、
前記突出部は、前記直交方向において前記第１延部および前記第２延部に対し前記ローラ側に位置し、
前記突出部は、前記読取部の前記搬送方向の上流側の端面に対して前記搬送方向の上流側に突出し、
前記突出部は、前記搬送方向の下流側ほど前記読取面に近づくように傾斜した傾斜面を有する、請求項２または３に記載の画像読取装置。
【請求項５】
前記読取部は、前記第１延部から前記直交方向の前記ローラ側に延びる延出部を備え、
前記筐体は、前記延出部に対して前記ローラの回転軸線方向の一方側および他方側にそれぞれ位置し、前記直交方向において前記ローラ側と反対側に延出する２つの壁を備える、請求項２〜４のいずれか一項に記載の画像読取装置。
【発明の詳細な説明】
【技術分野】
【０００１】
本発明は、画像読取装置に関する。
【背景技術】
【０００２】
特許文献１に開示されている画像読取装置では、読取部およびローラが設けられている。ローラは、読取部の読取面の上側に配置されている。ローラの回転により、シートがローラの周面と読取面との間を搬送される。そして、シートが読取面上を通過するときに、読取部により、シートの読取面側の画像が読み取られる。
【０００３】
ローラの周面と読取面との接触位置は、読取部において、シートの搬送方向の下流側に偏っている。また、読取部の下側には、押圧ばねが設けられている。押圧ばねは、読取部におけるシートの搬送方向の下流側に偏った部分をローラ側に押圧している。この押圧により、読取面がローラの周面と読取面との間を搬送されるシートに密着する。そのため、読取部により、読取面上のシートの画像を良好に読み取ることができる。
【先行技術文献】
【特許文献】
【０００４】
【特許文献１】特開平８−２５９０３２号公報
【発明の概要】
【発明が解決しようとする課題】
【０００５】
ところが、ローラが回転すると、ローラから読取部に、ローラの周面と読取面との接触位置を押し下げる方向の力が加えられる。この入力により、押圧ばねが押し縮められる。これに伴い、読取部は、搬送方向下流側の部分が下がり、搬送方向上流側の部分が上がるように回動する。その結果、シートがローラの周面と読取面との間に向けて差し込まれるときに、シートの先端が読取部の搬送方向上流側の部分に引っ掛かるおそれがある。
【０００６】
本発明の目的は、シートがローラの周面と読取部の読取面との間に向けて差し込まれるときに、シートの先端が読取部に引っ掛かることを抑制できる、画像読取装置を提供することである。
【課題を解決するための手段】
【０００７】
前記の目的を達成するため、本発明に係る画像読取装置は、読取面を有し、前記読取面上に位置するシートの画像を読み取るように構成される読取部と、周面の一部が前記読取部におけるシートの搬送方向の下流側に偏った接触位置で前記読取面に接触するローラと、前記読取部に設けられ、前記搬送方向の上流側に延びる第１延部と、前記読取面に直交する直交方向において前記第１延部に対して前記ローラ側に位置し、前記搬送方向の下流側に延びる第２延部とを備える。
【０００８】
この構成によれば、ローラの周面の一部が読取面におけるシートの搬送方向の下流側に偏った接触位置に接触している。そのため、ローラが回転すると、ローラから読取面に、読取部における搬送方向下流側の部分がローラ側と反対側に移動する方向の力が加えられる。第１延部は、読取部から搬送方向上流側に延びている。第２延部は、第１延部に対してローラ側に位置している。ローラから読取面に力が加えられたときに、第１延部が第２延部にローラ側と反対側から当接することにより、その力が第２延部に受け止められる。これにより、ローラから読取面に加えられる力による読取部の回動を抑制することができる。その結果、シートがローラの周面と読取部の読取面との間に向けて差し込まれるときに、シートの先端が読取部に引っ掛かることを抑制できる。
【０００９】
第１延部は、直交方向において読取面に対しローラ側と反対側に位置し、読取部の搬送方向の上流側の端面から搬送方向の上流側に突出した突起で構成することができる。また、第２延部は、直交方向において読取面に対しローラ側と反対側に位置し、読取部を収容する筐体の読取部の上流側に位置する壁部から搬送方向の下流側に突出した突起で構成することができる。
【００１０】
画像読取装置は、読取部の読取面と反対側の部分に当接し、読取部をローラ側に付勢するように構成される付勢部を備えていてもよい。
【００１１】
この構成によれば、読取部がローラ側に付勢されることにより、読取面をローラの周面と読取面との間を搬送されるシートに密着させることができる。そのため、読取部により、読取面上のシートの画像を良好に読み取ることができる。
【００１２】
読取部における付勢部との当接位置は、接触位置と搬送方向において同じ位置であることが好ましい。
【００１３】
これにより、ローラの回転に伴って、ローラから読取面に力が加えられたときに、その力の一部を付勢部で受けることができる。その結果、ローラから読取面に加えられる力による読取部の回動を一層抑制することができる。
【００１４】
画像読取装置は、読取部に設けられる突出部を備え、突出部は、直交方向において第１延部および第２延部に対しローラ側に位置して、読取部の搬送方向の上流側の端面に対して搬送方向の上流側に突出し、突出部は、搬送方向の下流側ほど読取面に近づくように傾斜した傾斜面を有していることが好ましい。
【００１５】
この構成によれば、突出部の傾斜面をシートが読取面上に配置されるときのガイドとして利用することができる。これにより、シートを読取面上にスムーズに配置することができる。
【００１６】
また、読取面と直交する方向において、傾斜面が搬送方向上流側ほど読取面から離れるように傾斜している。そのため、読取部の搬送方向上流側に、シートをローラ側と反対側から支持するシュートが設けられる場合、読取面と直交する方向において、そのシュートを読取面に近づけることができる。これにより、読取面と直交する方向における画像読取装置の小型化を図ることができる。
【００１７】
読取部は、第１延部から直交方向のローラ側に延びる延出部を備えていてもよく、筐体は、延出部に対してローラの回転軸線方向の一方側および他方側にそれぞれ位置し、直交方向においてローラ側と反対側に延出する２つの壁を備えていてもよい。
【００１８】
これにより、読取部が回転軸線方向に移動することを抑制できる。
【発明の効果】
【００１９】
本発明によれば、ローラの回転に伴って、ローラから読取面に力が加えられたときに、第１延部が第２延部にローラ側と反対側から当接することにより、その力による読取部の回動を抑制することができる。その結果、シートがローラの周面と読取部の読取面との間に向けて差し込まれるときに、シートの先端が読取部に引っ掛かることを抑制できる。
【図面の簡単な説明】
【００２０】
【図１】本発明の一実施形態に係る画像読取装置１の平面図である。
【図２】画像読取装置１の前面図である。
【図３】画像読取装置１の右側面図である。
【図４】図１に示される切断面線Ａ−Ａにおける画像読取装置１の断面図である。
【図５】図２に示される切断面線Ｂ−Ｂにおける画像読取装置１の断面図である。
【図６】図２に示される切断面線Ｃ−Ｃにおける画像読取装置１の断面図である。
【図７】図２に示される切断面線Ｄ−Ｄにおける画像読取装置１の断面図である。
【図８】画像読取装置１のロアシュート４１の右前上側から見た斜視図である。
【図９】ロアシュート４１の右後上側から見た斜視図である。
【図１０】画像読取装置１のトップカバー４が取り外された状態における画像読取装置１の平面図である。
【図１１】トップカバー４が取り外された状態における画像読取装置１の前面図である。
【図１２】画像読取装置１の読取部８３の右前上側から見た斜視図である。
【図１３】読取部８３の平面図である。
【図１４Ａ】画像読取装置１の断面図であり、ローラ８２が回転していない状態を示す。
【図１４Ｂ】画像読取装置１の断面図であり、ローラ８２が回転している状態を示す。
【図１５Ａ】第１の変形例を説明するための説明図であり、ローラ８２が回転していない状態を示す。
【図１５Ｂ】第１の変形例を説明するための説明図であり、ローラ８２が回転している状態を示す。
【図１６Ａ】第２の変形例を説明するための説明図であり、ローラ８２が回転していない状態を示す。
【図１６Ｂ】第２の変形例を説明するための説明図であり、ローラ８２が回転している状態を示す。
【発明を実施するための形態】
【００２１】
以下では、本発明の実施の形態について、添付図面を参照しつつ詳細に説明する。
【００２２】
＜筐体＞
【００２３】
画像読取装置１は、図１、図２および図３に示されるように、筐体２を備えている。筐体２は、ボトムカバー３およびトップカバー４に分割されている。
【００２４】
なお、以下の説明では、ボトムカバー３に対するトップカバー４側を上側とし、平面視における画像読取装置１の中央に対して後述する導入口７１が形成されている側を前側として、上下、左右および前後の各方向を規定する。そして、図１以降の各図では、矢印で方向を表示する。
【００２５】
ボトムカバー３は、図２に示されるように、底面部５および右側面部６を備えている。
【００２６】
底面部５は、左右方向に延びている。
【００２７】
右側面部６は、底面部５の右端縁から上側に延びている。右側面部６には、図３に示されるように、差込口７が形成されている。差込口７は、右側面部６を左右方向に貫通している。差込口７は、右側面部６の左側に配置されている通信コネクタ８を露出させている。非図示の通信ケーブルの一端に設けられた端子が差込口７を介して通信コネクタ８に差し込まれる。
【００２８】
トップカバー４は、図２、図３および図４に示されるように、ボトムカバー３に上側から重なる。トップカバー４は、図４、図５、図６および図７に示されるように、左側面部１１、右側面部１２、上面部１３、後面部１４、前面部１５および湾曲部１６を備えている。
【００２９】
左側面部１１は、端縁２１，２２，２３，２４，２５，２６を有している。端縁２１は、ボトムカバー３の底面部５の左端縁の上側に間隔を空けた位置で、前後方向に延びている。端縁２１は、前後方向において、底面部５の左端縁よりも短い。端縁２２は、端縁２１の後端から下側に延びている。端縁２３は、端縁２２の下端から前側に延びている。端縁２４は、端縁２３の前端から上側に延びている。端縁２５は、端縁２４の上端から後側に延びている。端縁２６は、端縁２５の後端から上側に延びている。端縁２６の上端は、端縁２１の前端に接続されている。
【００３０】
右側面部１２は、図３に示されるように、端縁２７，２８，２９，３０を有している。端縁２７は、ボトムカバー３の底面部５の右端縁の上側に間隔を空けた位置で、前後方向に延びている。端縁２７は、前後方向において、底面部５の右端縁と同じ長さである。端縁２８は、端縁２７の後端から下側に延びている。端縁２８は、上下方向において、左側面部１１の端縁２２と同じ長さである。端縁２９は、端縁２８の下端から前側に延びている。端縁３０は、端縁２９の前端から上側に延びている。端縁３０の上端は、端縁２７の前端に接続されている。
【００３１】
上面部１３は、前後方向において、左側面部１１の端縁２１の長さと同じ寸法を有している。上面部１３は、左側面部１１の端縁２１と右側面部１２の端縁２７との間に架設されている。
【００３２】
後面部１４は、左側面部１１の端縁２２と右側面部１２の端縁２８との間に架設されている。
【００３３】
前面部１５は、上下方向において、左側面部１１の端縁２４の長さと同じ寸法を有している。前面部１５は、左側面部１１の端縁２４と右側面部１２の端縁３０との間に架設されている。
【００３４】
湾曲部１６は、上面部１３の右端部と前面部１５の右端部との間に架設されている。湾曲部１６は、右側面部１２の端縁２７における上面部１３よりも前側で延びる部分および端縁３０における前面部１５よりも上側で延びる部分に沿って形成されている。そのため、湾曲部１６の左端縁３１は、上面部１３から前側に延び、途中部で湾曲して、下側に延び、下端が前面部１５に接続されている。
【００３５】
これにより、筐体２は、左側面部１１の端縁２５，２６、上面部１３の前端縁３２、前面部１５の上端縁３３および湾曲部１６の左端縁３１によって形成される開口３４を有している。
【００３６】
トップカバー４は、図５に示されるように、ロアシュート４１およびアッパシュート４２を保持している。
【００３７】
ロアシュート４１は、ボトムカバー３とトップカバー４とに挟まれる空間内に配置されている。ロアシュート４１は、図８および図９に示されるように、第１壁面４３、第２壁面４４、第３壁面４５、第４壁面４６および壁部の一例としての第５壁面４７を有している。
【００３８】
なお、図８および図９に矢印で表示されている方向は、ロアシュート４１が画像読取装置１に取り付けられた状態における方向である。
【００３９】
第１壁面４３は、図７および図８に示されるように、湾曲端縁５１、後端縁５２および下端縁５３を有している。湾曲端縁５１は、湾曲部１６の左端縁３１に沿っている。後端縁５２は、湾曲端縁５１の上端から下側に延びている。下端縁５３は、湾曲端縁５１の下端から後側に延びている。これにより、第１壁面４３は、左右方向に直交している。また、第１壁面４３は、トップカバー４の左側面部１１の端縁２５，２６によって形成される切欠３５を介して、左側に露出している。切欠３５は、左方向に開口している。切欠３５は、上方向にも開口している。
【００４０】
第２壁面４４は、図８に示されるように、左右方向に延び、前後方向と直交している。第２壁面４４は、第１壁面４３の後端縁５２と右端縁５４にて連結されている。また、第２壁面４４は、左側面部１１の端縁２６と左端縁５５にて連結されている。
【００４１】
第３壁面４５は、第２壁面４４の前側において、左右方向に延び、上下方向と直交している。第３壁面４５は、第１壁面４３の下端縁５３と右端縁５６にて連結されている。また、第３壁面４５は、第２壁面４４の下端縁５７と後端縁５８にて連結されている。
【００４２】
第４壁面４６は、図９に示されるように、第２壁面４４の後側において、左右方向に延び、上下方向と直交している。第４壁面４６は、第３壁面４５に連続し、第３壁面４５と同一平面をなしている。
【００４３】
第５壁面４７は、左右方向に延び、前後方向と直交している。第５壁面４７は、第４壁面４６の後端縁５９と上端縁６０にて連結されている。
【００４４】
第４壁面４６および第５壁面４７の右端部には、アクチュエータ開口６１が第４壁面４６および第５壁面４７に跨がって形成されている。
【００４５】
第２壁面４４の下端部は、図８に示されるように、左側部分を一部残して、それ以外の部分が切り欠かれている。これにより、ロアシュート４１には、第１壁面４３、第２壁面４４および第３壁面４５に囲まれた導入口７１が形成されている。導入口７１は、前後方向に開口している。
【００４６】
アッパシュート４２は、図５に示されるように、ロアシュート４１の第２壁面４４の後側に配置されている。アッパシュート４２は、左右方向に延びるとともに、前後方向に延びている。
【００４７】
トップカバー４の後面部１４には、図１および図５に示されるように、排出口７２が形成されている。排出口７２は、上下方向における導入口７１とほぼ同じ位置で、左右方向に延びている。排出口７２の左端７２Ｌは、図１に仮想線で示されるように、導入口７１の左端７１Ｌと同じ位置である。排出口７２の右端７２Ｒは、導入口７１の右端７１Ｒよりも右側に位置している。
【００４８】
導入口７１と排出口７２との間において、アッパシュート４２に沿って前後方向に延びる空間は、導入口７１から導入されるシートＳが排出口７２に向けて搬送される搬送路７３である。
【００４９】
＜内部機構＞
【００５０】
画像読取装置１は、図５に示されるように、ボトムカバー３とトップカバー４とに挟まれる空間内に、センサ８１、ローラ８２、読取部８３および付勢部８４を備えている。
【００５１】
センサ８１は、ロアシュート４１の下方に配置されている。センサ８１は、センサ本体９１およびアクチュエータ９２を備えている。アクチュエータ９２は、センサ本体９１から上側に延びている。アクチュエータ９２の先端部は、ロアシュート４１のアクチュエータ開口６１を介して、ロアシュート４１の第４壁面４６の上側に突出している。
【００５２】
シートＳが導入口７１に差し込まれると、シートＳの先端がアクチュエータ９２を搬送方向の下流側に押圧し、アクチュエータ９２が傾動する。アクチュエータ９２が傾動すると、センサ本体９１に設けられたマイクロスイッチがオフからオンに切り替わる。これにより、シートＳが導入口７１に差し込まれたことが検知される。
【００５３】
ローラ８２は、アッパシュート４２の後側に配置されている。ローラ８２は、回転軸１０１に取り付けられている。回転軸１０１は、図１０および図１１に示されるように、左右方向に延びている。回転軸１０１の左端部および右端部は、それぞれボトムカバー３の底面部５に立設された支持板１０２，１０３に回転可能に支持されている。ローラ８２は、モータ１０５の駆動力によって回転駆動される。モータ１０５は、図４に示されるように、底面部５上において、トップカバー４の左側面部１１と左側の支持板１０２との間に配置されている。
【００５４】
読取部８３は、図５に示されるように、ロアシュート４１の第５壁面４７の後側かつローラ８２の下側に配置されている。読取部８３は、図１２に示されるように、密着イメージセンサユニット１１１、ホルダ１１２および透明板１１３を備えている。
【００５５】
なお、図１２および図１３に矢印で表示されている方向は、読取部８３が画像読取装置１に取り付けられた状態における方向である。
【００５６】
密着イメージセンサユニット１１１は、左右方向に延びる。密着イメージセンサユニット１１１は、その内部に、ＬＥＤ光源、レンズおよびイメージセンサなどを備えている。また、密着イメージセンサユニット１１１は、図１２および図１３に示されるように、それぞれ２つの突部１１４，１１５を備えている。
【００５７】
２つの突部１１４は、密着イメージセンサユニット１１１の左側面１１６の前後方向の中央部に、上下方向に間隔を空けて設けられている。各突部１１４は、左側面１１６から左側に延びている。
【００５８】
２つの突部１１５は、密着イメージセンサユニット１１１の右側面１１７の前後方向の中央部に、上下方向に間隔を空けて設けられている。各突部１１５は、右側面１１７から右側に延びている。
【００５９】
ホルダ１１２は、前側板１１８および後側板１１９を備えている。
【００６０】
前側板１１８は、密着イメージセンサユニット１１１の前面を覆い、密着イメージセンサユニット１１１の左側面１１６および右側面１１７の前端部に回り込んでいる。また、前側板１１８は、突出部１２０を備えている。突出部１２０は、図１２に示されるように、前側板１１８の上端部から前側に突出している。突出部１２０の上面は、左右方向に延び、前側ほど下側に位置するように傾斜する傾斜面１２１に形成されている。
【００６１】
後側板１１９は、密着イメージセンサユニット１１１の前面を覆い、密着イメージセンサユニット１１１の左側面１１６および右側面１１７の前端部に回り込んでいる。
【００６２】
透明板１１３は、密着イメージセンサユニット１１１の上側に配置されている。透明板１１３の上面は、読取面１２２である。透明板１１３の上面の後側に偏った部分は、接触位置ＣＰ１においてローラ８２の周面の一部に接触している。接触位置ＣＰ１は、前後方向において、透明板１１３の中央よりも後側に位置している。
【００６３】
左規制部１３１は、図７に示されるように、前壁１３３および後壁１３４を備えている。前壁１３３および後壁１３４は、前後方向に間隔を空けて、左右方向に同じ位置で、それぞれ上下方向に延びている。前壁１３３および後壁１３４は、密着イメージセンサユニット１１１の左側の２つの突部１１４を前後方向に挟んでいる。
【００６４】
右規制部１３２は、図６に示されるように、前壁１３５および後壁１３６を備えている。前壁１３５および後壁１３６は、前後方向に間隔を空けて、左右方向に同じ位置で、それぞれ上下方向に延びている。前壁１３５および後壁１３６は、密着イメージセンサユニット１１１の右側の２つの突部１１５を前後方向に挟んでいる。
【００６５】
これにより、読取部８３は、上下方向に移動可能な状態で、前後方向に移動が規制されている。
【００６６】
付勢部８４は、図４に示されるように、左右方向において左規制部１３１および右規制部１３２の間に位置する。付勢部８４は、左コイルばね１４１および右コイルばね１４２を備えている。左コイルばね１４１および右コイルばね１４２は、左右方向に間隔を空けて、前後方向に同じ位置に配置されている。左コイルばね１４１および右コイルばね１４２の前後方向の位置は、ローラ８２の前後方向の位置とほぼ同じである。
【００６７】
左コイルばね１４１の一端部は、密着イメージセンサユニット１１１の下面における後側に偏った位置に接続されている。左コイルばね１４１の上端と密着イメージセンサユニット１１１の下面との当接位置ＣＰ２は、ローラ８２の周面の一部と透明板１１３との接触位置ＣＰ１と前後方向において同じ位置である。左コイルばね１４１の他端部は、ボトムカバー３の底面部５に形成された左ばね支持部１４３に外嵌されている。左コイルばね１４１の下端は、底面部５の上面に当接している。
【００６８】
右コイルばね１４２の一端部は、密着イメージセンサユニット１１１の下面における後側に偏った位置に接続されている。右コイルばね１４２の上端と密着イメージセンサユニット１１１の下面との当接位置ＣＰ３は、ローラ８２の周面の一部と透明板１１３との接触位置ＣＰ１と前後方向において同じ位置である。右コイルばね１４２の他端部は、ボトムカバー３の底面部５に形成された右ばね支持部１４４に外嵌されている。右コイルばね１４２の下端は、底面部５の上面に当接している。
【００６９】
読取部８３は、左コイルばね１４１および右コイルばね１４２の弾性力により、上側に付勢されている。この付勢により、透明板１１３における左コイルばね１４１および右コイルばね１４２の上側に位置する部分がローラ８２の周面に下側から押圧されている。
【００７０】
右コイルばね１４２は、左コイルばね１４１よりも径が小さく、左コイルばね１４１よりもばね定数が大きい。また、右コイルばね１４２の自然長は、左コイルばね１４１の自然長と同じである。そして、左コイルばね１４１の下端および右コイルばね１４２の下端は、ともに、ボトムカバー３の底面部５の上面に当接している。これにより、右コイルばね１４２の下端は、左コイルばね１４１の下端と上下方向に同じ位置に位置している。そのため、右コイルばね１４２の弾性力は、左コイルばね１４１の弾性力よりも大きい。その結果、透明板１１３は、その右側が左側よりもローラ８２の周面に強く押圧されている。
【００７１】
＜回動規制構造＞
【００７２】
画像読取装置１は、左右方向に延びる軸線まわりの読取部８３の回動を規制するために、ロアシュート４１において、図１２に示される第１延部１５１，１５２を備えている。画像読取装置１は、左右方向に延びる軸線まわりの読取部８３の回動を規制するために、ロアシュート４１において、図９に示される第２延部１５３，１５４を備える。
【００７３】
第１延部１５１は、図１２に示されるように、読取部８３のホルダ１１２の前側板１１８の左端部において、突出部１２０の下側に設けられている。第１延部１５１は、前側板１１８から前側に延びるとともに、左右方向に延びている。
【００７４】
第１延部１５２は、読取部８３のホルダ１１２の前側板１１８の右端部において、突出部１２０の下側に設けられている。第１延部１５２は、前側板１１８から前側に延びるとともに、左右方向に延びている。第１延部１５２の上面は、第１延部１５１の上面と上下方向に同じ位置に配置されている。第１延部１５２の右端は、前側板１１８に設けられた延出部１５５に接続されている。延出部１５５は、第１延部１５２の右端から上側に延びている。
【００７５】
第２延部１５３は、図４に示されるように、左右方向において、第１延部１５１と同じ位置に設けられている。第２延部１５３は、図９に示されるように、ロアシュート４１の第５壁面４７から後側に延びている。第２延部１５３の下端部は、第１延部１５１の上側に、第１延部１５１との間に間隔を空けて位置している。突出部１２０は、第１延部１５１および第２延部１５３の上側に位置している。
【００７６】
第２延部１５４は、ロアシュート４１の第５壁面４７から後側に延びている。第２延部１５４は、２つの壁１５６，１５７を備える。壁１５６，１５７は、ロアシュート４１の右端部に設けられている。壁１５６，１５７は、左右方向に間隔を空けて、それぞれ上下方向に延びている。左側の壁１５６の下端は、上下方向において、第２延部１５３の下端と同じ位置に配置されている。右側の壁１５７の下端は、左側の壁１５６の下端よりも下側に位置している。そして、壁１５６，１５７は、延出部１５５を左右両側から挟んでいる。
【００７７】
＜シートの画像の読み取り＞
【００７８】
画像読取装置１の使用時には、非図示の通信ケーブルの一端に設けられた端子が差込口７を介して通信コネクタ８に差し込まれる。通信ケーブルの他端は、たとえば、非図示のパーソナルコンピュータに接続されている。
【００７９】
そして、図１４Ａに示されるように、１枚のシートＳが第３壁面４５上から導入口７１に差し込まれる。このとき、シートＳは、第１壁面４３を基準として、その右端縁が第１壁面４３に押し当てられる。
【００８０】
シートＳが導入口７１に差し込まれると、センサ８１により、シートＳが検知される。センサ８１によるシートＳの検知に応答して、モータ１０５が駆動される。モータ１０５の駆動力により、ローラ８２が右側から見て反時計回りに回転する。
【００８１】
ローラ８２が右側から見て反時計回りに回転すると、ローラ８２から透明板１１３に、読取部８３の後端部が下側に移動する方向の力が加えられる。この力により、読取部８３には、右側から見て時計回りに回動される力が加わる。２つの突部１１４が左規制部１３１に左右両側から挟まれ、２つの突部１１５が右規制部１３２に左右両側から挟まれることにより、読取部８３の回動が規制されている。また、公差により、突部１１４と左規制部１３１の前壁１３３および後壁１３４との間ならびに突部１１５と右規制部１３２の前壁１３５および後壁１３６との間に隙間が生じているために、読取部８３が右側から見て時計回りに回動すると、図１４Ｂに示されるように、第１延部１５１，１５２が第２延部１５３，１５４にそれぞれ下側から当接する。これにより、読取部８３の後端部が下側に移動する方向の力が第２延部１５３，１５４に受け止められて、読取部８３のそれ以上の回動が抑制される。
【００８２】
使用者がシートＳを後側に移動させることにより、導入口７１から導入されたシートＳの先端部がローラ８２の周面と読取面１２２との間に差し込まれる。シートＳの上面がローラ８２の周面に接触すると、ローラ８２からシートＳに搬送力が付与される。この搬送力により、シートＳは、後側に搬送されて、ローラ８２の周面と読取面１２２との間を通過する。このとき、読取面１２２上のシートＳに、密着イメージセンサユニット１１１のＬＥＤ光源から光が照射される。そして、シートＳでの反射光が密着イメージセンサユニット１１１のイメージセンサに受けられることにより、シートＳの下面に描かれている画像が読み取られる。読み取られたシートＳの画像のデータは、通信コネクタ８に接続された通信ケーブルを介して、パーソナルコンピュータに送られる。
【００８３】
その後、シートＳの後端部がローラ８２の周面から離れ、シートＳが排出口７２から排出される。
【００８４】
＜作用効果＞
【００８５】
以上のように、ローラ８２の周面の一部が読取面１２２の読取部８３における後側に偏った接触位置ＣＰ１に接触している。そのため、ローラ８２が回転すると、ローラ８２から読取面１２２に、読取部８３における後側の部分が下側に移動する方向の力が加えられる。第１延部１５１，１５２は、読取部８３から前側に延びている。第２延部１５３，１５４は、第１延部１５１，１５２に対して上側に位置している。ローラ８２から読取面１２２に力が加えられたときに、第１延部１５１，１５２が第２延部１５３，１５４に下側から当接することにより、その力が第２延部１５３，１５４に受け止められる。これにより、ローラ８２から読取面１２２に加えられる力による読取部８３の回動を抑制することができる。その結果、シートＳがローラ８２の周面と読取部８３の読取面１２２との間に向けて差し込まれるときに、シートＳの先端が読取部８３に引っ掛かることを抑制できる。
【００８６】
また、画像読取装置１は、読取部８３に下側から当接し、読取部８３を上側に付勢するように構成される付勢部８４を備えている。
【００８７】
この構成によれば、読取部８３が上側に付勢されることにより、読取面１２２をローラ８２の周面と読取面１２２との間を搬送されるシートＳに密着させることができる。そのため、読取部８３により、読取面１２２上のシートＳの画像を良好に読み取ることができる。
【００８８】
密着イメージセンサユニット１１１の下面と付勢部８４との当接位置ＣＰ２および当接位置ＣＰ３は、ローラ８２の周面の一部と読取面１２２との接触位置ＣＰ１と前後方向において同じ位置である。
【００８９】
これにより、ローラ８２の回転に伴って、ローラ８２から読取面１２２に力が加えられたときに、その力の一部を付勢部８４で受けることができる。その結果、ローラ８２から読取面１２２に加えられる力による読取部８３の回動を一層抑制することができる。
【００９０】
画像読取装置１は、読取部８３に設けられる突出部１２０を備え、突出部１２０は、上下方向において第１延部１５１，１５２および第２延部１５３，１５４に対し上側に位置して、読取部８３の前側板１１８から前側に突出し、突出部１２０は、後側ほど上側に傾斜した傾斜面１２１を有している。
【００９１】
この構成によれば、突出部１２０の傾斜面１２１をシートＳが読取面１２２上に配置されるときのガイドとして利用することができる。これにより、シートＳを読取面１２２上にスムーズに配置することができる。
【００９２】
また、上下方向において、傾斜面１２１が前側ほど下側に位置するように傾斜している。そのため、突出部１２０の上面が読取面１２２と平行に延びる平面に形成される構成と比較して、ロアシュート４１の下側に位置させて、上下方向において、ロアシュート４１の第４壁面４６の位置を読取面１２２に近づけることができる。これにより、上下方向における画像読取装置１の小型化を図ることができる。
【００９３】
読取部８３は、第１延部１５２から上側に延びる延出部１５５を備えている。ロアシュート４１の第５壁面４７は、延出部１５５に対して左側に位置する壁１５６および延出部１５５に対して右側に位置する壁１５７を備えている。
【００９４】
これにより、読取部８３が左右方向に移動することを抑制できる。
【００９５】
＜変形例＞
【００９６】
以上、本発明の一実施形態について説明したが、本発明は、他の形態で実施することもできる。
【００９７】
たとえば、図１５Ａに示されるように、前側板１１８には、第１延部１５１に代えて、凹部２０１が形成されていてもよい。この場合、ロアシュート４１の第５壁面４７から後側に延びる第２延部２０２の先端部が凹部２０１内に配置される。
【００９８】
シートＳの搬送の際に、読取部８３が右側から見て時計回りに回動すると、図１５Ｂに示されるように、第１延部の一例としての凹部２０１の下面２０３が第２延部２０２に下側から当接する。これにより、ローラ８２から読取面１２２に加えられる力を第２延部２０２で受け止めることができる。よって、読取部８３の回動を抑制することができる。
【００９９】
また、図１６Ａに示されるように、ロアシュート４１の第５壁面４７には、第２延部１５３に代えて、凹部２０４が形成されていてもよい。この場合、前側板１１８から前側に延びる第１延部２０５の先端部が凹部２０４内に配置される。
【０１００】
シートＳの搬送の際に、読取部８３が右側から見て時計回りに回動すると、図１６Ｂに示されるように、第１延部２０５が第２延部の一例としての凹部２０４の上面２０６に下側から当接する。これにより、ローラ８２から読取面１２２に加えられる力を凹部２０４の上面で受け止めることができる。よって、読取部８３の回動を抑制することができる。
【０１０１】
その他、前述の構成には、特許請求の範囲に記載された事項の範囲で種々の設計変更を施すことが可能である。
【符号の説明】
【０１０２】
１      画像読取装置
２      筐体
４７    第５壁面
８２    ローラ
８３    読取部
８４    付勢部
１２０  突出部
１２１  傾斜面
１２２  読取面
１５１  第１延部
１５２  第１延部
１５３  第２延部
１５４  第２延部
１５５  延出部
１５６  壁
１５７  壁
２０２  第２延部
２０３  下面
２０５  第１延部
２０６  上面
ＣＰ１  接触位置
ＣＰ２  当接位置
ＣＰ３  当接位置
Ｓ      シート
【図１】
2014155044.tif 000003
【図２】
2014155044.tif 000004
【図３】
2014155044.tif 000005
【図４】
2014155044.tif 000006
【図５】
2014155044.tif 000007
【図６】
2014155044.tif 000008
【図７】
2014155044.tif 000009
【図８】
2014155044.tif 000010
【図９】
2014155044.tif 000011
【図１０】
2014155044.tif 000012
【図１１】
2014155044.tif 000013
【図１２】
2014155044.tif 000014
【図１３】
2014155044.tif 000015
【図１４Ａ】
2014155044.tif 000016
【図１４Ｂ】
2014155044.tif 000017
【図１５Ａ】
2014155044.tif 000018
【図１５Ｂ】
2014155044.tif 000019
【図１６Ａ】
2014155044.tif 000020
【図１６Ｂ】
2014155044.tif 000021